(57)【要約】【課題】鏡像を拡大視できる用具のレンズ部分の薄形化を図りながら、全体として嵩張ることなく手軽に鏡に組み合わせできるようにし、老眼鏡使用者ばかりでなく化粧に際して拡大された鏡像を簡単に見ることができるようにする。【解決手段】鏡に配置して鏡映像を拡大視可能にする鏡映補助具１を、集光系メニスカスレンズ２とこの集光系メニスカスレンズ２の周囲に設けられて鏡面に配置するときの接触部位とする枠体３とからなるものとした。【選択図】    図１
0003104563.tif 000002
【実用新案登録請求の範囲】
【請求項１】
鏡に配置して鏡像を拡大視可能にする補助具において、集光系メニスカスレンズとこの集光系メニスカスレンズの周囲に設けられて鏡面に配置するときの接触部位とする枠体とからなることを特徴とする鏡映補助具。
【請求項２】
上記集光系メニスカスレンズの凹面状の背面が、重ね合わせる鏡面との間に隙間を形成する隙間形成手段である請求項１に記載の鏡映補助具。
【請求項３】
上記枠体の背面部に粘着部材からなる取付手段が設けられている請求項１または２に記載の鏡映補助具。
【請求項４】
吸盤からなる取付手段をチェーンなどの屈曲容易な線状連結部材を介して備える請求項１または２に記載の鏡映補助具。
【請求項５】
上部材と下部材とがヒンジを介して連結されて上部材と下部材とが閉じ合わせ可能に設けられ、請求項１から４の何れか一項の鏡映補助具を前記上部材と下部材との間に収納する収納ケースであって、前記上部材の内面に、前記鏡映補助具の枠体が上部材側となるようにして配する鏡映補助具収納部を有して、該鏡映補助具収納部に前記鏡映補助具が着脱可能にして収納され、かつ、前記鏡映補助具収納部は鏡を備えて、前記鏡映補助具が前記鏡に重ね合されることを特徴とする鏡映補助具収納ケース。
【請求項６】
上記下部材は、該下部材の内面側に化粧材配置部が設けられている請求項５に記載の鏡映補助具収納ケース。
【請求項７】
内部に鏡を備え、請求項１から４の何れか一項に記載の鏡映補助具を、前記鏡に対応させた状態で内部に収納したことを特徴とするコンパクト。
【考案の詳細な説明】
【技術分野】
【０００１】
本考案は化粧に際して鏡の前において鏡に映った目の周りなどを拡大した状態で見易くするために用いる鏡映補助具、そしてこの鏡映補助具を収納する収納ケース、さらに鏡映補助具を有するコンパクトに関するものである。
【背景技術】
【０００２】
老眼となっている人が化粧を行なう場合、特にアイシャドウを入れるなどのように目の周りに対する化粧を行なう場合、通常使用している眼鏡を着用したままでは行なえないことから、鏡に映った鏡像を拡大視できるように例えば凹面鏡を利用したり、また平凸レンズなどからなる鏡映補助具を手鏡などに重ねたり、鏡の手前に配置したりするなどの工夫を行なっている（特許文献１、特許文献２参照）。
【特許文献１】実開平５−１３３１５号公報
【特許文献２】特表平４−５０５３７３号公報
【考案の開示】
【考案が解決しようとする課題】
【０００３】
しかしながら、上述した特許文献１で示されているような凸レンズや平凸レンズを備えている鏡映補助具ではレンズ部分の肉厚が大きく重くなってしまうという問題があり、単体として取り扱うに際して嵩張り易いものとなっている。そして鏡面に直接レンズ部分を重ね合わせる構成であるため焦点距離が短かく、レンズ部分に近づかなければ正立した鏡像を見ることができないとともに、鏡像の拡大率が極めて大きく目視し難いという不都合もある。
また、特許文献２に示されているように集光系メニスカスレンズ（凸メニスカスレンズ）を備える用具にあっても、これを鏡に取り付けるための機構体と組み合わせているものであるため、全体形状が大きくなってしまう問題があり、女性がバッグに入れるなどして携帯するには到底適さないものであった。
そこで本考案は上記事情に鑑み、鏡像を拡大視できる用具のレンズ部分の薄形化を図りながら、全体として嵩張ることなく手軽に鏡に組み合わせできるようにすることを課題とし、老眼鏡使用者ばかりでなく化粧に際して拡大された鏡像を簡単に見ることができるようにすることを目的とするものである。
【課題を解決するための手段】
【０００４】
本考案は上記課題を考慮してなされたもので、鏡に配置して鏡像を拡大視可能にする補助具において、集光系メニスカスレンズとこの集光系メニスカスレンズの周囲に設けられて鏡面に配置するときの接触部位とする枠体とからなることを特徴とする鏡映補助具を提供して、上記課題を解消するものである。
そして、本考案において、上記集光系メニスカスレンズの凹面状の背面が、重ね合わせる鏡面との間に隙間を形成する隙間形成手段であることが良好である。
また、本考案において、上記枠体の背面部に粘着部材からなる取付手段が設けられているものとすることが可能である。
また、本考案において、吸盤からなる取付手段をチェーンなどの屈曲容易な線状連結部材を介して備えるものとすることが良好である。
【０００５】
さらにもう一つの考案は、上部材と下部材とがヒンジを介して連結されて上部材と下部材とが閉じ合わせ可能に設けられ、請求項１から４の何れか一項の鏡映補助具を前記上部材と下部材との間に収納する収納ケースであって、前記上部材の内面に、前記鏡映補助具の枠体が上部材側となるようにして配する鏡映補助具収納部を有して、該鏡映補助具収納部に前記鏡映補助具が着脱可能にして収納され、かつ、前記鏡映補助具収納部は鏡を備えて、前記鏡映補助具が前記鏡に重ね合されることを特徴とする鏡映補助具収納ケースであり、この鏡映補助具収納ケースを提供して、上記課題を解消するものである。
この考案において、上記下部材は、該下部材の内面側に化粧材配置部が設けられているものとすることが可能である。
【０００６】
さらに、もう一つの考案は、内部に鏡を備え、上記鏡映補助具を、前記鏡に対応させた状態で内部に収納したことを特徴とするコンパクトであり、このコンパクトを提供して、上記課題を解消するものである。
【考案の効果】
【０００７】
本考案によれば、鏡映補助具が集光系メニスカスレンズと枠体とからなるため構成が簡単であるとともに、レンズ部分が集光系メニスカスレンズであるため薄肉となり、鏡映補助具の全体の重量が小さなものとなる。
また、本考案において、上記集光系メニスカスレンズの凹面状の背面を、重ね合わせる平坦な鏡面との間に隙間を形成する隙間形成手段とすることで、別物品を用意することなく、顔なと本鏡映補助具との間に化粧用具を取り扱う距離を確保しながら適正な大きさの鏡像を見ることができるようになる。
また、本考案において、枠体の背面部に粘着部材からなる取付手段が設けられているものとすれば、枠体を鏡前面に接しさせることにより取付手段を介して貼り付くようになり、この鏡映補助具の取付操作が容易になる。さらに取付手段の構成がが極めて簡単なものであるため、鏡映補助具自体が薄形のままとなり、嵩張ることがない。
また、本考案において、吸盤からなる取付手段をチェーンなどの屈曲容易な線状連結部材を介して備えるものとすれば、鏡に対する取り付け、取り外しが容易に行えるようになる。そして、取付手段を備える手段が屈曲容易な線状連結部材であるので、取付手段を備えるための構成が極めて簡単であり、この取付手段を有していても鏡映補助具全体が嵩張るようなことがない。
【０００８】
また、本考案の鏡映補助具収納ケースにより、鏡映補助具の携帯が安全にして簡単に行える。そして、この鏡映補助具収納ケースに化粧材も収納することで、鏡に取り付けた鏡映補助具により拡大された鏡像を確認しながら、同じく収納している化粧材を用いた化粧が行なえるようになる。
【０００９】
また、本考案のコンパクトによれば、上記鏡映補助具を内部に収納しているため、鏡映補助具の携帯が容易なものとなる。そして、コンパクトを開くことで上記鏡映補助具が対応位置している鏡が現れるようになり、同様に鏡映補助具を介して拡大された鏡像を確認しながら化粧することができるようになる。
【考案を実施するための最良の形態】
【００１０】
つぎに本考案を図１から図６に示す実施の形態に基づいて詳細に説明する。
図中１は鏡に配置して鏡像を拡大視で見ることができるようにした補助具で、該鏡映補助具１は手前側を凸とする集光系メニスカスレンズ２とこの集光系メニスカスレンズ２を囲むようにして該集光系メニスカスレンズ２の周囲に位置する枠体３とからなるものである。前記集光系メニスカスレンズ２と枠体３とは例えばアクリル樹脂製のものとすることができる。また、素材としては焼却処分する際に有毒ガスを発生させない樹脂材を選択する。
上記枠体３は集光系メニスカスレンズ２の周辺を保護することを役割の一つとして有するものであり、内周に亘って形成された溝部４に集光系メニスカスレンズ２の周辺を嵌め入れて保護している。この枠体３は集光系メニスカスレンズ２より硬度が小さい合成樹脂材から成型することが、前述の役割を持たせる上で有効である。枠材３自体は透明である必要は必ずしもなく、有色とすることが可能である。
【００１１】
そして、上記枠体３は、本鏡映補助具１を鏡４の前面に配置するときの接触部位とするものであり、この枠体３を鏡４に接触するようにして鏡映補助具１を鏡４に重ね合わせて使用する。その使用に際しては鏡４における集光系メニスカスレンズ２の位置を正面にして見ればよく、集光系メニスカスレンズ２の作用によって鏡像が拡大視されるため、例えば、老眼鏡利用者がアイメイクを行なう場合でも、裸眼状態で前記鏡像を確認しながら作業をすることができるようになる。
【００１２】
鏡映補助具１は鏡４の前面に安定的に位置するため手段を有している。符号５はその一例である取付手段を示していて、該取付手段５は枠体３の背面部（鏡接触部位）に配した粘着部材からなるものであり、この取付手段５の粘着面が表出している状態で枠体３を鏡４に接合させれば、取付手段５の粘着力によって鏡映補助具１が鏡上に安定して配置される。そのため、鏡映補助具１に手などを当てがう必要がなくなる。このような粘着部材からなる取付手段５を有する鏡映補助具１は、例えば手鏡やコンパクトの鏡などに取り付けることができるものとなる。
【００１３】
図３は本鏡映補助具１が他の取付手段６を備えている例を示している。この例における取付手段６は吸盤からなるものであり、この取付手段６をボールチェーンなどの屈曲可能な線状連結部材７を介して有している。このように線状連結部材７を介して前記取付手段６を備える鏡映補助具１は、例えば三面鏡に対して前記吸盤からなる取付手段６を吸着させ、その取付手段６の下方に下垂させた集光系メニスカスレンズ２を見る状態で使用する。勿論この使用形態に限定されるものではない。
【００１４】
図４は鏡映補助具収納ケース８を示している。この鏡映補助具収納ケース８は鏡映補助具１を携帯し易くするためのものである。図示されているように、上部材９を下部材１０にヒンジ機構部分を介して回動できるように連結して、この上部材９と下部材１０とを開閉可能に閉じ合わせることが可能である。
上部材９の内面には、環状の突堤１１に囲まれ、上記枠体３が上部材９側となるようにして前記突堤１１の内側に着脱可能に鏡映補助具１を着脱可能に嵌め入れることで配置することのできる鏡映補助具収納部１２を有していて、ここに鏡映補助具１を配置させた状態で上部材９と下部材１０とを閉じることで上部材９と下部材１０との間の空間内に鏡映補助具１を収納するようにしている。
このように鏡映補助具収納ケース８は鏡映補助具１全体を覆うようにして内部に収納するものであるため、衝撃などから鏡映補助具１を保護するようになり、よって、この鏡映補助具収納ケース８を用いることで、鏡映補助具１の携帯が極めて容易になる。
【００１５】
そして上記鏡映補助具収納部１２にあっては鏡１３が設けられており、この鏡１３に対して鏡映補助具１が重なるようにして着脱可能に保持されるようにしている。そのため、この鏡映補助具収納ケース８の上部材９を開いて鏡映補助具収納部１２に位置している鏡映補助具１を正面にして見た場合には拡大視された鏡像を確認することになる。
さらに、この鏡映補助具収納ケース８における下部材１０にあっては凹状の化粧材配置部１４が形成されており、ここにファンデーションを収めたレフィルなどを取り付けることができるようにしている。よって、この鏡映補助具収納ケース１において前記化粧材配置部１４に所望の化粧材を配置しておけば、鏡映補助具１を利用した拡大視の鏡像を確認しながらコンパクトのように化粧材配置部１４の化粧材を用いた化粧などの作業が行えるものとなる。
なお、上記鏡映補助具収納部１２において鏡映補助具１を着脱可能に保持する構成は特に限定されるものではない。また、鏡映補助具１を着脱可能に保持する構成を必ずしも有する必要はなく、鏡映補助具収納ケース８の内部で鏡映補助具１の大きな移動やガタ付きを抑える構成だけを備えるようにしてもよい。
【００１６】
図５はコンパクト１５を示している。このコンパクト１５にあっては、蓋部材１６の内面に位置する鏡１７に対して上記鏡映補助具１が、その枠体３を蓋部材１６側となるようにして重ね合されているものであり、鏡１７を覆うようにして鏡映補助具配置部１８が形成されているものである。この鏡映補助具配置部１８に位置する鏡映補助具１は着脱可能にして位置しているものであり、上述した取付手段５を介して取り付けられている。このコンパクト１５においても鏡映補助具１が前記鏡１７に重ね合されているため、鏡映補助具１が正面となるようにすることで拡大された鏡像を確認できるものである。
このコンパクト１５では内部に鏡映補助具１を収納する携帯となるため、鏡映補助具１の携帯がより一層簡単なものとなる。
【００１７】
図６に示すように鏡映補助具１の集光系メニスカスレンズ２の第一面１９（凸面である前面）の曲率半径が、第二面２０（凹面である背面）の曲率半径より小さいものである。なお、この集光系メニスカスレンズ２は、拡大視する鏡像が周辺部分にて歪みが生じないように非球面成型されるが、以下の説明を容易にするために非球面については説明を省略するが、人が目視する条件で使用するこの鏡映補助具１の集光系メニスカスレンズ２の第一面と第二面を球面としても以下の説明が変わるものでなない。
この集光系メニスカスレンズ２を鏡面Ａに配置したときに、集光系メニスカスレンズ２の第二面２０と鏡面Ａとの間に隙間２１が形成される。即ち、本考案にあっては、鏡映補助具１を鏡に重ね合わせたときにレンズ部分と鏡との間に前記隙間が形成されるように設けたものである。
このように第二面２０と鏡面Ａとの間に隙間２１が形成されるようにしているため、第二面２０を出て鏡面Ａに向う光２２の集光度合いは、その第二面２０が凹面形状であることから、第一面１９を通る光２２の集光度合いに対して若干小さくなるように屈折して進むことになる。そして、鏡面Ａで反射されて再び第二面２０に達した光２２は、この第二面２０で屈折して第一面１９に達し、この第一面１９で屈折して焦点側へと進むことになる。
これに対して、レンズ部分が平凸レンズで第二面が鏡面Ａと接している場合には、上述した集光系メニスカスレンズの第二面での拡散方向への屈折が発生しないため、鏡面Ａで反射した光２３は、曲率半径の小さい第一面１９に対する焦点に向けて進むことになり、本考案の鏡映補助具１のレンズ部分を通る場合に比べてよりレンズ部分に近い位置に光が集まることになる。
このようにレンズ部分の形状を平凸レンズとした場合には、頂点距離が短かくなることから、焦点距離内で鏡像を反転状態となることなく確認しようとすると鏡面Ａ側に極めて接近しなければならず、なおかつ目視でき鏡像はその拡大度合いが極めて高く、化粧操作などの利用には全く適さないものとなってしまう。
【００１８】
一方、本考案の鏡映補助具１では、この鏡映補助具１を鏡面Ａに重ねるだけで、上述したように凹面である第二面２０と鏡面Ａとの間に隙間２１を形成し、第二面２０での光屈折作用を生かしながら、鏡面Ａで反射して戻る光の焦点位置が鏡映補助具１から離れるようにしているため、鏡面Ａに重ねた本鏡映補助具１と目の周りなどの化粧対象部分との間に、マスカラやアイライナーなどの化粧用具を操作する空間を確実に確保でき、鏡像の拡大度合いも程良いものとなる。よって、鏡映補助具１を鏡面Ａに重ね合わせたときに凹面の第二面２０と鏡面Ａとの間に隙間２１が形成されるようにしていることは本鏡映補助具１の必須の条件であり、またその効果を絶大である。
【００１９】
鏡映補助具１においては、集光系メニスカスレンズ２の第一面１９の中央（凸面の最突出部分）から枠体３の鏡側接触部位までの光軸に沿った方向（鏡面に垂直な方向）での厚さ寸法を４．５ｍｍとすることが可能である。このように鏡映補助具１の厚さ寸法を小さくすることで携帯がより一層容易になるとともに、上記鏡映補助具収納ケース自体の薄形化が図れる。さらには既存のコンパクトの内部に入れたときも収納状態に気を払うことなく蓋部材を閉じることができる。なお、各図は理解が容易になるように模式図として描かれているものである。
上述のように鏡映補助具１を薄型にしながら、焦点距離を長くして良好な拡大鏡像を得るために、予め設計厚さに応じて第一面の位置を定め、第二面の加工形成により所要の度数を得るようにし、この第二面の加工により例えばＳＰＨ＋１．００、＋２．００の度数を有する鏡映補助具が得られた。
また、本鏡映補助具を重ね合わせる鏡体として、フロートガラスの表面を平滑度１／１０００の設定で研き加工し、裏面はコーティングした後に鏡加工した厚さ１．３６ｍｍのものとした。これにより鏡体自体でのプリズム作用を排除することができる。このようにして得た鏡体に薄型とした鏡映補助具を重ね合わせて鏡像を確認したところ、その鏡像は適正に拡大されたものとなっており、本鏡映補助具１と化粧対象部位との間隔も、化粧操作できる十分な間隔であることが確認できた。
なお、上記鏡体と鏡映補助具との重ね合わせ形態全体でも薄型である。よって、鏡体を上記鏡映補助具収納ケースの鏡やコンパクトの鏡とすることで、それぞれの内部で鏡映補助具の収納空間を確保し易くなる。
【図面の簡単な説明】
【００２０】
【図１】本考案に係る鏡映補助具の一例を示す説明図である。
【図２】一例における背面側の取付手段を示す説明図である。
【図３】他の取付手段を備えた例を示す説明図である。
【図４】本考案の鏡映補助具収納ケースの一例を示す説明図である。
【図５】本考案のコンパクトの一例を示す説明図である。
【図６】本考案における鏡映補助具の一例における集光系メニスカスレンズの光屈折を示す説明図である。
【符号の説明】
【００２１】
１…鏡映補助具
２…集光系メニスカスレンズ
３…枠体
４…鏡
５…取付手段
６…取付手段
７…線状連結部材
８…鏡映補助具収納ケース
１２…鏡映補助具収納部
１３…鏡
１４…化粧材配置部
１５…コンパクト
１７…鏡
１８…鏡映補助具配置部
１９…第一面
２０…第二面
２１…隙間
【図１】
0003104563.tif 000003
【図２】
0003104563.tif 000004
【図３】
0003104563.tif 000005
【図４】
0003104563.tif 000006
【図５】
0003104563.tif 000007
【図６】
0003104563.tif 000008